【事件の表示】
　特願２０１１−６１８０「農作業機」拒絶査定不服審判事件〔平成２４年８月２日出願公開、特開２０１２−１４３２１９〕について、次のとおり審決する。
【結　論】
　本件審判の請求は、成り立たない。
【理　由】
第１  手続の経緯
　本願は、平成２３年１月１４日の出願であって、平成２６年８月１４日付けで拒絶の理由が通知され、これに対して、同年１０月１６日に意見書及び手続補正書が提出され、平成２７年５月２９日付けで最後の拒絶の理由が通知され、これに対して、同年７月１６日に意見書及び手続補正書が提出されたが、平成２８年１月２１日付けで前記平成２７年７月１６日付けの手続補正を却下する決定とともに拒絶査定がなされ、これに対し、同年４月７日に拒絶査定不服審判の請求がなされると同時に特許請求の範囲及び明細書についての手続補正がなされたものである。
第２　平成２８年４月７日付けの手続補正についての補正却下の決定
［補正却下の決定の結論］
　平成２８年４月７日付けの手続補正（以下「本件補正」という。）を却下する。
［理由］
１　補正の内容
　本件補正は、特許請求の範囲の記載を補正することを含むものであり、本件補正前の特許請求の範囲の請求項２と本件補正後の特許請求の範囲の請求項１の記載は、次のとおりである。
　なお、審判請求人は、審判請求書において、本件補正による特許請求の範囲の補正は、補正前の請求項１、５を削除するとともに、補正前の請求項２に発明特定事項を付加して補正後の請求項１としたものである旨主張する（【本願発明が特許されるべき理由】の「（ｂ）補正の説明」欄を参照。）。
　補正前（平成２６年１０月１６日付け手続補正書）：
「【請求項２】
　機体と、
　この機体に回転可能に設けられ、回転しながら耕耘作業をする耕耘体と、
　この耕耘体の後方で整地作業をする整地体とを備え、
　前記耕耘体は、
　前記機体に回転可能に設けられた回転軸と、
　この回転軸の外周面に突設され、第１耕耘爪取付部および第２耕耘爪取付部を有するフランジと、
　前記第１耕耘爪取付部に取付手段にて脱着可能に取り付けられた第１耕耘爪と、
　前記第２耕耘爪取付部に取付手段にて脱着可能に取り付けられ、前記第１耕耘爪とは異なる形状の第２耕耘爪と、
　前記フランジに設けられ、前記第１耕耘爪を前記第１耕耘爪取付部に取り付けるようにするための第１耕耘爪用目印と、
　前記フランジに設けられ、前記第２耕耘爪を前記第２耕耘爪取付部に取り付けるようにするための第２耕耘爪用目印とを有する農作業機であって、
　前記フランジのうち前記第１耕耘爪取付部に対応する位置および前記第２耕耘爪取付部に対応する位置には、互いに所定距離だけ離れた対をなすボルト挿通用孔が形成され、
　前記第１耕耘爪および前記第２耕耘爪には、前記ボルト挿通用孔と対向するボルト挿通用孔が形成され、
　前記取付手段は、平板と、この平板の長手方向両端部に固定され互いに所定距離だけ離れた対をなす固定ボルトと、この各固定ボルトに螺合されるナットとを有し、
　前記固定ボルトが前記第１耕耘爪の前記ボルト挿通用孔および前記フランジの前記ボルト挿通用孔に挿通され、この挿通された固定ボルトに前記ナットが螺合され、このナットの螺合により前記第１耕耘爪が前記フランジの前記第１耕耘爪取付部に脱着可能に取り付けられ、かつ、前記固定ボルトが前記第２耕耘爪の前記ボルト挿通用孔および前記フランジの前記ボルト挿通用孔に挿通され、この挿通された固定ボルトに前記ナットが螺合され、このナットの螺合により前記第２耕耘爪が前記フランジの前記第２耕耘爪取付部に脱着可能に取り付けられている
　ことを特徴とする農作業機。」 
　補正後（平成２８年４月７日付け手続補正書）：
「【請求項１】
　機体と、
　この機体に回転可能に設けられ、回転しながら耕耘作業をする耕耘体と、
　この耕耘体の後方で整地作業をする整地体とを備え、
　前記耕耘体は、
　前記機体に回転可能に設けられた回転軸と、
　この回転軸の外周面に突設され、第１耕耘爪取付部および第２耕耘爪取付部を有するフランジと、
　前記第１耕耘爪取付部に取付手段にて脱着可能に取り付けられた第１耕耘爪と、
　前記第２耕耘爪取付部に取付手段にて脱着可能に取り付けられ、前記第１耕耘爪とは異なる形状の第２耕耘爪と、
　前記フランジ
の前記第１耕耘爪取付部
　前記フランジ
の前記第２耕耘爪取付部
　前記フランジのうち前記第１耕耘爪取付部に対応する位置および前記第２耕耘爪取付部に対応する位置には、互いに所定距離だけ離れた対をなすボルト挿通用孔が形成され、
　前記第１耕耘爪および前記第２耕耘爪には、前記ボルト挿通用孔と対向するボルト挿通用孔が形成され、
　前記取付手段は、平板と、この平板の長手方向両端部に固定され互いに所定距離だけ離れた対をなす固定ボルトと、この各固定ボルトに螺合されるナットとを有し、
　前記固定ボルトが前記第１耕耘爪の前記ボルト挿通用孔および前記フランジの前記ボルト挿通用孔に挿通され、この挿通された固定ボルトに前記ナットが螺合され、このナットの螺合により前記第１耕耘爪が前記フランジの前記第１耕耘爪取付部に脱着可能に取り付けられ、かつ、前記固定ボルトが前記第２耕耘爪の前記ボルト挿通用孔および前記フランジの前記ボルト挿通用孔に挿通され、この挿通された固定ボルトに前記ナットが螺合され、このナットの螺合により前記第２耕耘爪が前記フランジの前記第２耕耘爪取付部に脱着可能に取り付けられて
おり、
　前記第１耕耘爪の色と前記第２耕耘爪の色とが、互いに異なっている
　ことを特徴とする農作業機。」（下線は補正箇所を示すものである。）
 　 
２　補正の目的及び新規事項の追加の有無
　本件補正の請求項１に係る補正（以下、単に「本件補正」という。）は、請求項１（補正前の請求項２）に記載した発明を特定するために必要な事項である「第１耕耘爪用目印」及び「第２耕耘爪用目印」を設ける箇所を「フランジ」の「第１耕耘爪取付部」及び「第２耕耘爪取付部」に限定するとともに、「第１耕耘爪」及び「第２耕耘爪」の構成を「前記第１耕耘爪の色と前記第２耕耘爪の色とが、互いに異なっている」構成に限定するものであり、かつ、補正後の請求項１に記載された発明は、補正前の請求項２に記載された発明と、産業上の利用分野及び解決しようとする課題が同一であるので、本件補正は、特許法第１７条の２第５項第２号の特許請求の範囲の減縮を目的とするものに該当する。
　そして、本件補正は、新規事項を追加するものではない。
３　独立特許要件
　そこで、本件補正後の請求項１に記載された発明（以下「本願補正発明」という。）が特許出願の際独立して特許を受けることができるものであるか（特許法第１７条の２第６項において準用する同法第１２６条第７項の規定に適合するか）について以下に検討する。
（１）引用例について
　原査定の拒絶の理由に引用された、本願出願日前に頒布された刊行物は、次のとおりである。
　特開２００１−９５３０５号公報（以下「引用例１」という。）
　実願昭５７−１２４０５７号（実開昭５９−２９１０４号）のマイクロフィルム（以下「引用例２」という。）
　実願昭６２−１０６４２９号（実開昭６４−１１６０５号）のマイクロフィルム（以下「引用例３」という。）
　特開２０１０−１０４２６８号公報（以下「周知例１」という。）
　特開平９−２８５２０３号公報（以下「周知例２」という。）
　特開２００６−２３０３０６号公報（以下「周知例３」という。）
　また、本願補正発明に関連する技術を開示する、本願出願日前に頒布された刊行物として、次のものもある。
　特開２００５−１７６６３６号公報（以下「周知例４」という。）
　ア　引用例１
（ア）引用例１に記載の事項
　引用例１には、次の事項が記載されている。
「【０００９】
　
農用トラクタの機体１後部には、
代掻き装置４を昇降自在に連結している
　【００１０】
　
代掻き装置４は、機体１側から動力の伝達される伝動ケース７、伝動ケース７から左右両側方に延出している左・右ビーム
、左ビーム
の外端部に連結されているサイド伝動ケース９、右ビーム
の端部に連結されているサイドプレート
、前記サイド伝動ケース９及びサイドプレートの下端部に軸架されている耕耘軸１０、耕耘軸１０に取り付けられている耕耘爪１１
ロータ板爪１２
、耕耘爪１１の上部を被覆する主カバー１４、耕耘爪１１の後部を被覆するリヤーカバー１５、リヤーカバー１５の押圧装置
により、構成されている
　・・・・
　【００１３】
　小径の
耕耘軸１０には所定間隔置きにフランジ１６，１６，…を多数取り付けている
フランジ１６，１６，…には、左耕耘爪１１Ｌ及び右耕耘爪１１Ｒを回転方向にずらして交互に
２組取り付けている
　・・・・
　【００１６】
　この実施例では、前記のように、
小径の耕耘軸１０に所定間隔置きに取り付けられているフランジ１６，１６，…には、大径の左耕耘爪１１Ｌと右耕耘爪１１Ｒを回転方向にずらせて交互に２組取り付ける
（イ）引用例１の認定
　上記（ア）で摘記した事項からみて、引用例１には、次の発明（以下「引用発明１」という。）が記載されていると認められる。
「農用トラクタの機体１側から動力の伝達される伝動ケース７と、伝動ケース７から左右両側方に延出している左・右ビームと、左ビームの外端部に連結されているサイド伝動ケース９と、右ビームの端部に連結されているサイドプレートと、前記サイド伝動ケース９及びサイドプレートの下端部に軸架されている耕耘軸１０と、耕耘軸１０に所定間隔置きにフランジ１６，１６，…を多数取り付け、このフランジ１６，１６，…のそれぞれに回転方向にずらして交互に２組取り付けられている左耕耘爪１１Ｌと右耕耘爪１１Ｒと、ロータ板爪１２と、左耕耘爪１１Ｌと右耕耘爪１１Ｒとからなる耕耘爪１１の上部を被覆する主カバー１４と、耕耘爪１１の後部を被覆するリヤーカバー１５と、リヤーカバー１５の押圧装置とを備えた、
　代掻き装置４。」
　イ　引用例２
（ア）引用例２に記載の事項
　引用例２には、次の事項が記載されている。
　ａ　明細書第１頁第８〜９行
「この考案は、
耕耘機の耕耘軸に多数間隔的に取付ける耕耘爪に関する
　ｂ　明細書第２頁第１６行〜第３頁第２行
「この考案は上記の問題点を解決するためになされたものであり、その目的とするところは、表面全休に視認性が良い色彩の付帯層を設けることにより、爪面における損傷度の早期発見が容易になって、耕耘中における障害や二次損傷等が一掃され、これによって耕耘作業の安全と能率向上を図ることができる耕耘爪を提供することにある。」
　ｃ　明細書第３頁第１５行〜第４頁第１７行
「この耕耘爪を図示しない
耕耘機の回転軸に多数間隔的に取付けた
各耕耘爪が
原色系の塗料
赤色あるいはスカイブルー
が
塗布されて
原形爪１の表面全城に所定厚みの付帯層５として一体的に設けられ、全体として一括体の耕耘爪Ａに構成されている
　上記の構成により耕耘爪Ａを、この耕耘爪Ａの装備を必要とする図示しない耕耘機の回転軸に、あらかじめ軸上に設置されている取付部材に対する前記取付孔３からのボルトの挿入とその締付けにより多数間隔に取付けて、この耕耘機を稼働した場合、各耕耘爪Ａの表面全域には、原色系の色彩で、この耕耘機の周辺土壌やその土壌の背景となる草木と明確に区分できる焼付け塗装による付帯層５が均一に設けられているため、各個毎の爪面４における摩耗の度合が常に円滑迅速に確認できて、適正な摩耗時期における爪の交換が可能となる。」
　ｄ　明細書第５頁第１３〜２０行
「なお上記の実施例においては主に同一種類の原形爪１に特定の色彩による付帯層５を設けるようにしたが、この考案の耕耘爪は上記の実施例に限定することなく、例えば
異種毎の原形爪に、色彩別の付帯層をそれぞれ設けて複数種の耕耘爪を構成することにより、色彩の識別により一目で耕耘爪の種類が判断できて、多品種の管理が一層有利に行える
　ｅ　明細書第６頁第１３〜１７行
「さらに、
異種の爪ごとに色彩の異なった層を形成するようにすれば、異種の爪であることが一目で分かり、一つの耕耘軸に異種の爪を決められた箇所に取付けることも用意（審決注：「容易」の誤記である。）なり、又部品管理上も有利である
（イ）引用例２の認定
　上記（ア）で摘記した事項からみて、引用例２には、次の発明（以下「引用発明２」という。）が記載されていると認められる。
「耕耘機の回転軸に多数間隔的に取付けた耕耘爪において、
　耕耘爪には、異種の耕耘爪ごとに色彩を異ならせるように、赤色やスカイブルーなどの塗料を塗布して、異種の耕耘爪であることが色彩の識別により一目で分かり、一つの耕耘軸に異種の耕耘爪を決められた箇所に取付けることを容易にした、
　耕耘爪。」
　ウ　引用例３
（ア）引用例３に記載の事項
　引用例３には、次の事項が記載されている。
　ａ　[産業上の利用分野］（明細書第１頁第１０〜１１行）
「この考案は、耕耘爪を装着するためのホルダーに関する。」
　ｂ　[従来の技術］（明細書第１頁末行〜第２頁第４行）
「この耕耘爪は左用１０７と右用１０９とに区別されており取付けには注意が必要であり、この耕耘爪の取付のためにロータリ耕耘装置カバーに左右配列表示が第６図に示すように（略図）平面的に表示されていた。」
　ｃ　[考案が解決しようとする問題点]（明細書第２頁第１５〜１８行）
「この考案は上記の問題に鑑み創案されたもので
左右の耕耘爪の誤装着を防止すると共に品質の保護を向上させる
　ｄ　［問題点を解決するための手段］（明細書第２頁末行〜第３頁第３行）
「上記目的を達成するためにこの考案は耕耘爪を装着するために耕耘軸に設けられたホルダーにおいて、前記ホルダー端面に表示手段を設けたことを特徴とするホルダー。」
　ｅ　[作用]（明細書第３頁第５〜６行）
「ホルダー端面に表示手段を設けることにより耕耘爪を取付ける際の誤装着を防止する。
　ｇ　［実施例］（明細書第３頁第１２行〜第５頁第１９行）
「
ホルダーは、右用１と左用３とにより構成されており、ロ−タリ耕耘装置
に設けられた耕耘軸
の円周上に所定間隔で複数配列されると共に、この複数配列されたホルダーが軸方向に所定間隔に溶接により取付けられている
右用１のホルダーの端面５には
開口部７が設けられ
右用であることを示す頭文字であるＲと製造年月日等が刻印されている
開口郎７には
右用耕耘爪９が挿入係止されている
　一方の
左用３のホルダーの端面１１には
開口部１３が設けられ
左用であることを示す頭文字Ｌと製造年月日等が刻印されている
開口部１３は
左用耕耘爪１５が挿入係止されている
　つぎに上記実施例の作用について説明する。
　まず
ホルダーが右用１であるか左用３であるかを端面５，１１にそれぞれ刻印された頭文字Ｒ，Ｌにより判断する
　なお、この考案は上記一実施例に限定されるものではない。例えば第５図に示すようにホルダー１７の開口部１９の形状が異なる場合にも前記実施例と同様な構成により同様な効果を得ることができる。
　ホルダーの端面に頭文字Ｒ，Ｌを刻印したがＲ，Ｌのかわりに点を刻印し、この点の刻印位置を左用と右用とで変えて表示することもできる。
　
刻印で文字等を表示したが字の形状は文字（日本語、外国語）数字、摸様何れでも仕様（審決注：「使用」の誤記である。）可能であり、浮き出し、プリント等の何れでも表示することができる
　ｈ　［考案の効果］（明細書第６頁第１０〜１８行）
「以上より明らかなようにこの考案の構成によれば、
ホルダーの端面に表示手段を設けたことにより、例えばホルダーの左右配列を表示すれば何れの方向からでも、最も容易に且つ確実に視認することができる
作業性が向上すると共に耕耘爪を取付ける際の誤装着を防止することができる
（イ）引用例３の認定
　上記（ア）で摘記した事項からみて、引用例３には、次の発明（以下「引用発明３」という。）が記載されている。
「ロ−タリ耕耘装置に設けられた耕耘軸の円周上に所定間隔で複数配列されると共に、軸方向に所定間隔に取付けられている、耕耘爪が挿入係止されるホルダーにおいて、
　右用耕耘爪９が挿入係止される右用１のホルダーの端面５には、右用であることを示す頭文字であるＲが刻印されており、
　左用耕耘爪１５が挿入係止される左用３のホルダーの端面１１には、左用であることを示す頭文字であるＬが刻印されており、
　ホルダーが右用１であるか左用３であるかを端面５，１１にそれぞれ刻印された頭文字Ｒ，Ｌにより判断できるようにした、ホルダー。」
　エ　周知例１
（ア）周知例１に記載の事項
　周知例１には、次の事項が記載されている。
「【技術分野】
　【０００１】
　
本発明は、圃場を耕耘する耕耘ロータリの耕耘軸に耕耘爪を取り付けるための耕耘爪締結装置に関する
　【背景技術】
　【０００２】
　
従来、圃場を耕耘する耕耘ロータリの耕耘軸に耕耘爪を取り付ける構造としては、耕耘爪の基部に設けられた一対の連通孔から耕耘軸に固着されたフランジに設けられた一対の各爪取付孔にボルトを挿通してナットと螺合して耕耘爪の基部をフランジに固着する構造が知られている
　【０００３】
　この耕耘爪取付構造によれば、フランジに耕耘爪を取り付けるには、２本のボルトのそれぞれを耕耘爪の基部に設けられた一対の連通孔に挿通するとともに、フランジに設けられた一対の爪取付孔に挿通する。そして、フランジから突出したボルトにナットを螺合してフランジを介して耕耘爪を締め付ける。このナットを螺合操作する際に、ボルトがナットと共回りしないように、ボルトの頭部を押さえ付ける必要がある。この
押さえ付け作業は、作業者にとって煩わしく、耕耘爪の取り付け作業の作業性を低下させている
　【０００４】
　そこで、
押さえ付け作業が不要な耕耘爪取付装置が提案されている
特許文献１に記載の耕耘爪取付装置は、結合板の両端部にボルトの軸部を挿通可能に形成された挿通孔に軸部を通してボルトの頭部を結合板に溶接して構成されている
　【０００５】
　
特許文献２に記載の耕耘爪取付装置は、座金体の両側部に形成された挿通孔にボルトが固定されたものである
「【課題を解決するための手段】
　【００１１】
　上記目的を達成するために本発明の耕耘爪締結装置は、
耕耘軸に設けられたフランジに耕耘爪を取り付ける耕耘爪締結装置であって、前記耕耘爪の基部に間隔を有して設けられた複数の連通孔のそれぞれから前記フランジに設けられ前記耕耘軸の外周の外側に配置された複数の爪取付孔に挿通されてナットと螺合して前記耕耘爪の基部を前記フランジに固定する複数のボルトと、前記複数のボルトの軸部が挿通可能な複数の挿通孔を有した結合板を備え、前記ボルトは、この頭部に繋がる軸部の頭部側端部の少なくとも周囲に凹部を有し、前記結合板の前記挿通孔に前記ボルトの軸部を挿通し、前記挿通孔の外周部をプレス加工して前記凹部内に塑性流動させた前記結合板の部分を入り込ませて前記ボルトと前記結合板とが一体的に結合されている
「【発明を実施するための最良の形態】
　【００１４】
　以下、本発明に係る耕耘爪締結装置について、図１から図６を参照して説明する。
耕耘爪締結装置１は、
耕耘軸８０に設けられたフランジ８１に耕耘爪８５を取り付けるためのものである
この耕耘爪締結装置１は、耕耘爪８５の基部８５ａに長手方向に間隔を有して設けられた一対の連通孔８５ｂ，８５ｃからフランジ８１に設けられ耕耘軸８０の外周の外側に設けられた一対の各爪取付孔８２，８３に挿通されてナット４０（図６参照）と螺合して耕耘爪８５の基部８５ａをフランジ８１に固着する２本のボルト１０と、２本のボルト１０と一体的に結合される結合板２０とを備えてなる
「【００２０】
　次に、この耕耘爪締結装置１を用いて耕耘爪８５を耕耘軸８０に設けられたフランジ８１に固定する方法について説明する。先ず、図５に示すように、
耕耘爪８５の基部８５ａをフランジ８１の一対の爪取付孔８２，８３に対向配置し、耕耘爪８５の基部８５ａに設けられた一対の連通孔８５ｂ，８５ｃと一対の爪取付孔８２，８３を連通状態にする
耕耘爪締結装置１の２本のボルト１０を一対の連通孔８５ｂ，８５ｃから一対の各爪取付孔８２，８３に挿通させる
爪取付孔８２，８３から突出した軸部１０ａの先端部にスプリングワッシャ５０を介してナット４０を螺合して、耕耘爪８５の基部８５ａを締め付けて耕耘爪８５をフランジ８１に固定する
　オ　周知例２
（ア）周知例２に記載の事項
　周知例２には、次の事項が記載されている。
　　
「【０００１】
　【発明の属する技術分野】
　
本発明は
圃場を耕耘するロータリ耕耘体の多数の耕耘爪を取付けるものに関する
　【０００２】
　【従来の技術】
　
従来、
耕耘軸のフランジに複数の耕耘爪を放射状に配設するとともに、この各耕耘爪にボルト頭部の回動阻止部を有する座金板をそれぞれ当接し、この各座金板から前記各耕耘爪及びフランジに２本のボルトをそれぞれ挿通し、この各ボルトのボルト頭部を前記回動阻止部に当接した状態でこの各ボルトにナットをそれぞれ締め付けてフランジに複数の耕耘爪を放射状に突設する構成が知られている
「【０００４】
　
本発明は、
耕耘爪の取付け及び取り外しが容易で、ボルトに締め付けるナットと反対側でボルト頭部を押さえ付ける回り止め操作を必要とせず、耕耘爪の着脱交換作業を軽減できる耕耘爪取付装置を提供することを目的とするものである
「【００１７】
　また、11は前記伝動ケース３とブラケットとの下端部間に回転自在に軸架されたロータリ作業体11で、このロータリ作業体11は、前記伝動ケース３とブラケットとの下端部間に回転自在に軸架された耕耘軸12を有し、この
耕耘軸12には軸方向に所定の間隔をおいて多数の円盤状のフランジ13が一体に固着されている
　【００１８】
　
前記各フランジ13には前記耕耘軸12を中心として複数の耕耘爪14を放射状に取り付ける２個を一組とする複数組の爪取付孔15がそれぞれ内外側部に離間して形成されている
前記複数の耕耘爪14は、前記各フランジ13に当接する板状の基端部16を有し、この基端部16には前記フランジ13の２個を一組とする爪取付孔15にそれぞれ連通する２個の連通孔17を有するとともに、この基端部16に連続して伸長した縦切刃部18及び先端部に湾曲した横切刃部19を有している
　【００１９】
　また、
20は前記複数の耕耘爪14の基端部16を前記フランジ13に着脱自在に固着する固着具で、この固着具20は、金属製の座金体21と、この座金体21に取り付ける金属製の２本のボルト22と、この２本のボルト22にワッシャ23を介してそれぞれ着脱自在に螺着する金属製のナット24とを有している
「【００２３】
　つぎに、前記座金体21に前記２本のボルト22を連結する場合には、前記押当板25の両側部の挿通孔26に前記２本のボルト22をねじ軸部32から挿入するとともに、この２本のボルト22のローレット軸部31をそれぞれ軸方向から強制的に圧入することにより、この両側部の挿通孔26に２本のボルト22のローレット軸部31が互いに、あるいはその一方が塑性変形して圧着され座金体21の両側部に２本のボルト22がそれぞれ一体に固定される。
　【００２４】
　そして、座金体21の両側部には２本のボルト22が回動不能にかつ抜け止め不能に一体に固定されるが、この２本のボルト22のボルト頭部29が両側部の挿通孔26の開口縁部28にそれぞれ当接されることにより、このボルト頭部29にて２本のボルト22が更に確実に抜け止め支持される。」
「【００２７】
　つぎに、前記座金体21の押当板25の表面部には前記両側部の挿通孔26の間に位置して前記２本のボルト22の長さ、この２本のボルト22のねじ軸部32のピッチ、この２本のボルト22の間の間隔等２本のボルト22のサイズ等を表示する表示部36が形成されている。
　【００２８】
　すなわち、ロータリ作業体11の機種や耕耘爪14によって、その耕耘爪14をフランジ13に取り付けるボルト22の長さや間隔が相違するので、これらの相違に対応するために各種のボルト22が用意されるが、これらのボルト22を２本一組として押当板25の両側部に固定し、その押当板25の表示部36に２本のボルト22のサイズを表示することにより、ロータリ作業体11の機種や耕耘爪14に応じた固着具20が容易に選択される。したがって、耕耘爪14の取り付け作業が容易となる。」
　カ　周知例３
（ア）周知例３に記載の事項
　周知例３には、次の事項が記載されている。
「【技術分野】
　【０００１】
　
本発明は、圃場を耕耘する耕耘ロータリの耕耘軸に耕耘爪を取り付けるための耕耘爪締結装置に関する
「【課題を解決するための手段】
　【０００８】
　上記目的を達成するために
本発明の耕耘爪締結装置は、耕耘軸に設けられたフランジに耕耘爪を取り付ける耕耘爪締結装置であって、耕耘爪の基部に設けられた一対の連通孔からフランジに設けられた一対の各爪取付孔に挿通されてナットと螺合して耕耘爪の基部をフランジに固着する２本のボルトと、２本のボルトと一体的に結合される結合板とを備え、該結合板は、両側部にボルトのボルト軸部を挿通する挿通孔を有し、ボルト頭部の座面又は結合板のボルト頭部の座面に対向する対向面に溶接用突起を設け、結合板の挿通孔にボルトのボルト軸部を挿通して、溶接用突起を対向面又はボルト頭部の座面に溶着させて、２本のボルトと結合板とが一体的に結合されている
「【発明を実施するための最良の形態】
　【００１５】
　以下、本発明に係る耕耘爪締結装置について、図１から図４を参照して説明する。
耕耘爪締結装置１は、
耕耘軸８０に設けられたフランジ８１に耕耘爪８５を取り付けるためのものであり、耕耘爪８５の基部８６に設けられた一対の連通孔８７，８８からフランジ８１に設けられた一対の各爪取付孔８２，８３に挿通されてナットと螺合して耕耘爪８５の基部８６をフランジ８１に固着する２本のボルト１０と、２本のボルト１０と一体的に結合される結合板３０とを備えてなる
　【００１６】
　ボルト１０は、図２（ａ）（側面図）及び（ｂ）（裏面図）に示すように、市販品と同一形状であり、先端部に雄ねじ１１ａを形成したボルト軸部１１と、この基端部に繋がったボルト頭部１３とを有してなる。ボルト頭部１３は六角形状を有して、スパナやメガネレンチの使用を可能にしている。
　【００１７】
　結合板３０は、両側部にボルト１０のボルト軸部１１を挿通する挿通孔３１を有し、ボルト頭部１３の座面１３ａに対向する対向面３２に溶接用突起３４が設けられている。溶接用突起３４は、これをボルト頭部１３の座面１３ａに圧接させた状態でボルト１０及び結合板３０間に大電流を流すと、溶解してボルト頭部１３の座面１３ａに溶着するいわゆるスポット溶接における接続部として機能する。なお、図面ではボルト頭部１３の座面１３ａに溶着する溶接用突起３４を３つ設けた場合を示したが、溶接用突起３４の数は、接合強度、コスト等との関係を考慮して適宜決められるものである。
　【００１８】
　結合板３０の挿通孔３１にボルト１０のボルト軸部１１を挿通して、溶接用突起３４をボルト頭部１３の座面１３ａに溶着させると、図２（ｃ）（断面図）に示すように、
２本のボルト１０と結合板３０とが一体的に結合された耕耘爪締結装置１
　【００１９】
　次に、この耕耘爪締結装置１を用いて耕耘爪８５を耕耘軸８０に設けられたフランジ８１に固定する方法について説明する。先ず、
耕耘爪８５の基部８６をフランジ８１の一対の爪取付孔８２，８３に対向配置して、耕耘爪８５の基部８６に設けられた一対の連通孔８７，８８と一対の爪取付孔８２，８３とを連通させる
耕耘爪締結装置１の２本のボルト１０を一対の連通孔８７，８８から一対の各爪取付孔８２，８３に挿通させる
爪取付孔８２，８３から突出したボルト軸部１１の先端部にナット４０を螺合して、耕耘爪８５の基部８６を締め付けて耕耘爪８５をフランジ８１に固着する
　【００２０】
　ここで、結合板３０の両側部にボルト１０が溶着されて結合板３０と一体となって回り止め固定されているので、２本のボルト１０は耕耘爪８５の連通孔８７，８８からフランジ８１の各爪取付孔８２，８３に同時に挿通される。また、この２本のボルト１０にナット４０をそれぞれに強く締め付けてもこの２本のボルト１０が回ることはなく、各ボルトのボルト頭部１３を押さえ付ける必要もないため、フランジ８１に耕耘爪８５を固着する作業時間を大幅に短縮することができる。また、耕耘爪の交換作業のように前述した耕耘ロータがフリーな状態（例えば、ＰＴＯクラッチが切断されて耕耘ロータがフリーに回転できる状態）の方が作業し易いような場合、手作業でナット４０を締め付けようとすると、その反動で耕耘ロータが回転して作業がやり難くまた危険であるが、ボルト頭部１３は六角形状をしているので、
スパナやメガネレンチの使用が可能であり、ボルト頭部１３にスパナ等を係合させることで、耕耘ロータの回動を規制することができ、安全に耕耘爪の交換作業を行うことができる
　【００２１】
　このようにして、耕耘軸８０のフランジ８１に耕耘爪８５を固着する際には、耕耘爪８５を固着するボルト１０を２本１組として同時に耕耘爪８５の基部８６とフランジ８１に装着でき、ボルト１０を１本ずつ装着する必要がない。このため、
フランジ８１に対する耕耘爪８５の装着を簡単な操作で短時間に行うことができる
　【００２２】
　またボルト１０は結合板３０に対して溶着によって結合されているので、その結合強度は強いとともに、信頼性も高い。従って、ボルト１０の回り止め機能が低下する事態を未然に防止することができ、その結果、フランジ８１に対する耕耘爪８５の装着作業を常に簡単な操作で行うことができる。
　【００２３】
　なお、溶接用突起３４は、図３（ａ）（側面図）に示すように、ボルト頭部１３の座面１３ａに設けてもよい。このように、溶接用突起３４をボルト頭部１３の座面１３ａに設けることで、前述した溶接用突起３４を結合板３０に設けた場合と同様に、溶接用突起３４の溶着によって図３（ｃ）（側面図）に示す２本のボルト１０を結合板３０に固着した耕耘爪締結装置１を形成することができ、また前述した図２（ｃ）に示す耕耘爪締結装置１と同様の効果（耕耘爪装着操作の容易化、ボルト１０の回り止め機能の高い信頼性）を得ることができる。
　【００２４】
　また図４（ａ）（側面図）及び（ｂ）（平面図）に示すように、ボルト頭部１３の側面に座面１３ａに延びる溶接用切り欠き部１４を設け、溶接用切り欠き部１４と結合板３０との間をすみ肉溶接して、２本のボルト１０と結合板３０とを一体的に結合してもよい。このようにすると、前述した図２（ｃ）に示す耕耘爪締結装置１と同様の効果（耕耘爪装着操作の容易化、ボルト１０の回り止めの高い信頼性）を得ることができるとともに、市販品のボルトのボルト頭部に溶接用切り欠き部１４を加工するだけでよいので、コストの上昇を抑制することができる。また、溶接部１６は溶接用切り欠き部１４内に略収まるので、ボルト頭部１３にスパナ等の工具の装着が可能であり、ＰＴＯクラッチが切断されて耕耘ロータがフリーに回転できる状態になっても、耕耘ロータの回動を規制して耕耘爪の装着作業を行うことができる。」
　キ　周知例４
（ア）周知例４に記載の事項
　周知例４には、次の事項が記載されている。
「【技術分野】
　【０００１】
　本発明は、
トラクタなど走行機体の後方に装備させるロータリ耕耘作業機などの耕耘装置に関する
　【背景技術】
　【０００２】
　
従来、耕耘装置に用いる耕耘爪には、右用及び左用の２種類が存在し、耕耘爪軸に設けたホルダに誤組しないように取り付ける必要がある
　【０００３】
　そこで、ホルダの左右側面を非対象に形成して右用もしくは左用の爪を誤組することなく取り付けるようにしたものがある。（例えば特許文献１参照）
　【０００４】
　　【特許文献１】実開平４−５５２０２号公報
　【発明の開示】
　【発明が解決しようとする課題】
　【０００５】
　しかしながら、ホルダの左右いずれかの側面を確認してから爪を取り付ける必要が生じるため、誤組は防止することができるものの取り付けに時間がかかるという不具合が生じる。
　【課題を解決するための手段】
　【０００６】
　そこで本発明は、耕耘爪軸のホルダに耕耘爪を挿入固定させる耕耘装置において、耕耘爪を挿入させるホルダの爪挿入孔の少なくとも１組の対向する辺形状を異ならせると共に、耕耘爪基部の辺形状をホルダの爪挿入孔の辺形状と同形状とさせたものである。
　【０００７】
　また、ホルダの爪挿入孔の少なくとも１辺に凸部または凹部を設けると共に、耕耘爪基部に爪挿入孔の凸部または凹部に対応する凹部または凸部を設けたものである。
　【発明の効果】
　【０００８】
　而して本発明によれば、耕耘爪軸のホルダに耕耘爪を挿入固定させる耕耘装置において、耕耘爪を挿入させるホルダの爪挿入孔の少なくとも１組の対向する辺形状を異ならせると共に、耕耘爪基部の辺形状をホルダの爪挿入孔の辺形状と同形状とさせたことによって、ホルダの爪挿入孔の形状を確認するだけで
右用或いは左用を瞬時に正確に判断して、従来に比べて耕耘爪の取付け時間の短縮化を図ると共に、耕耘爪の誤組を確実に防止して取付性を向上させるものである
　【０００９】
　また、ホルダの爪挿入孔の少なくとも１辺に凸部または凹部を設けると共に、耕耘爪基部に爪挿入孔の凸部または凹部に対応する凹部または凸部を設けたことによって、爪挿入孔或いは挿入基部の１辺に凸部或いは凹部を設けるだけの簡単な構成手段で、耕耘爪の誤組を確実に防止して、正確な耕耘爪の交換など容易に可能とさせるものである。」
「【００１８】
　また、図８に示すものは、
爪ホルダ２６の爪挿入部に耕耘爪１６の湾曲方向に合わせた矢印３６の刻印
記号或いは文字３７の刻印
図形目印３８の刻印
各種色３９による着色
など施す一方、耕耘爪１６の挿入基部３０にも同様の刻印や着色など施して、耕耘爪１６の湾曲方向に合わせた爪ホルダ２６への取付けを行わせるものである
（２）対比
　ア　本願補正発明と引用発明１とを対比する。
　イ　「代掻き」は「農作業」であるから、引用発明１の「代掻き装置４」は本願補正発明の「農作業機」に相当する。
　ウ　引用発明１の「左耕耘爪１１Ｌ」と「右耕耘爪１１Ｒ」とは異なる形状であるので、引用発明１の「左耕耘爪１１Ｌ」と「右耕耘爪１１Ｒ」は、本願補正発明の「第１耕耘爪」と「第１耕耘爪とは異なる形状の第２耕耘爪」にそれぞれ相当する。
　エ　引用発明１の「農用トラクタの機体１側から動力の伝達される伝動ケース７と、伝動ケース７から左右両側方に延出している左・右ビームと、左ビームの外端部に連結されているサイド伝動ケース９と、右ビームの端部に連結されているサイドプレートと、前記サイド伝動ケース９及びサイドプレートの下端部に軸架されている耕耘軸１０と、耕耘軸１０に所定間隔置きにフランジ１６，１６，…を多数取り付け、このフランジ１６，１６，…のそれぞれに回転方向にずらして交互に２組取り付けられている左耕耘爪１１Ｌと右耕耘爪１１Ｒと、・・・・を備えた」との構成からは、「伝動ケース７」、「左・右ビーム」、「サイド伝動ケース９」及び「サイドプレート」とからなる構成は、「耕耘軸１０」や該「耕耘軸１０」に取り付けられている「左耕耘爪１１Ｌ」と「右耕耘爪１１Ｒ」を回転可能に支えていると解されるので、引用発明１の「伝動ケース７」、「左・右ビーム」、「サイド伝動ケース９」及び「サイドプレート」とからなる構成は、本願補正発明の「機体」に相当し、同様に、「サイド伝動ケース９及びサイドプレートの下端部に軸架されている耕耘軸１０」は「機体に回転可能に設けられた回転軸」に、「耕耘軸１０に所定間隔置きに」「多数取り付け」た「フランジ１６，１６，…」は「回転軸の外周面に突設され「フランジ」にそれぞれ相当する。また、引用発明１の「フランジ１６，１６，…」は、「左耕耘爪１１Ｌ」と「右耕耘爪１１Ｒ」とを取り付けるので、「耕耘爪取付部」を有することは明らかであり、「左耕耘爪１１Ｌ」と「右耕耘爪１１Ｒ」は何かしらの「取付手段」により、「フランジ１６，１６，…」に取り付けられていると解される。
　オ　上記ウ及びエを踏まえると、引用発明１の「耕耘軸１０」と「フランジ」と「左耕耘爪１１Ｌ」と「右耕耘爪１１Ｒ」とからなる構成は、「機体に回転可能に設けられ、回転しながら耕耘作業をする耕耘体」を構成しているといえる。
　カ　したがって、両者は 次の一致点で一致し、相違点１ないし４で相違する。
（一致点）
「機体と、
　この機体に回転可能に設けられ、回転しながら耕耘作業をする耕耘体と、
　前記耕耘体は、
　前記機体に回転可能に設けられた回転軸と、
　この回転軸の外周面に突設され、第１耕耘爪取付部および第２耕耘爪取付部を有するフランジと、
　前記第１耕耘爪取付部に取付手段にて取り付けられた第１耕耘爪と、
　前記第２耕耘爪取付部に取付手段にて取り付けられ、前記第１耕耘爪とは異なる形状の第２耕耘爪とからなる、
　農作業機。」
（相違点１）
　本願補正発明は、「耕耘体の後方で整地作業をする整地体とを備え」ているのに対し、
　引用発明１は、その特定がない点。
（相違点２）
　耕耘爪の取付構造に関して、
　本願補正発明は、「前記フランジのうち前記第１耕耘爪取付部に対応する位置および前記第２耕耘爪取付部に対応する位置には、互いに所定距離だけ離れた対をなすボルト挿通用孔が形成され、前記第１耕耘爪および前記第２耕耘爪には、前記ボルト挿通用孔と対向するボルト挿通用孔が形成され、前記取付手段は、平板と、この平板の長手方向両端部に固定され互いに所定距離だけ離れた対をなす固定ボルトと、この各固定ボルトに螺合されるナットとを有し、前記固定ボルトが前記第１耕耘爪の前記ボルト挿通用孔および前記フランジの前記ボルト挿通用孔に挿通され、この挿通された固定ボルトに前記ナットが螺合され、このナットの螺合により前記第１耕耘爪が前記フランジの前記第１耕耘爪取付部に脱着可能に取り付けられ、かつ、前記固定ボルトが前記第２耕耘爪の前記ボルト挿通用孔および前記フランジの前記ボルト挿通用孔に挿通され、この挿通された固定ボルトに前記ナットが螺合され、このナットの螺合により前記第２耕耘爪が前記フランジの前記第２耕耘爪取付部に脱着可能に取り付けられて」いるのに対し、
　引用発明１は、「左耕耘爪１１Ｌ」と「右耕耘爪１１Ｒ」は「フランジ１６，１６，…のそれぞれに回転方向にずらして交互に２組取り付けられている」が、そのような取付構造を備えていない点。
（相違点３）
　本願補正発明は、「前記フランジの前記第１耕耘爪取付部に設けられ、前記第１耕耘爪を前記第１耕耘爪取付部に取り付けるようにするための第１耕耘爪用目印と、前記フランジの前記第２耕耘爪取付部に設けられ、前記第２耕耘爪を前記第２耕耘爪取付部に取り付けるようにするための第２耕耘爪用目印とを有する」のに対し、
　引用発明１は、そのような構成を有していない点。
（相違点４）
　本願補正発明は、「前記第１耕耘爪の色と前記第２耕耘爪の色とが、互いに異なっている」のに対し、
　引用発明１は、そのような構成を有していない点。
（３）相違点１の判断
　引用発明１は、耕耘爪１１の後部を被覆するリヤーカバー１５と、リヤーカバー１５の押圧装置とを備えている。
　そして、リヤーカバー１５は押圧装置を備えているから、リヤーカバー１５は土を押圧する作用を奏するものであると解されるので、整地作業をするものといえる。
　加えて、平成２８年１月２１日付けの補正却下の決定で引用された特開２００９−２６８３６１号公報に、「本発明は、
ロータリ作業体の上方を覆う上部カバーの後端部に上下方向に回動自在に支持されたエプロン
ロータリ作業体１５の上側は、上部カバー１７によって覆われている
上部カバー１７は、ロータリ作業体１５の前側から後方側に延び、上部カバー１７の後端部には、エプロン２０が上下方向に回動自在に取り付けられている
エプロン２０の後端部２０ａは左右方向に略直線状に形成されて、耕土表面を平らに整地する
　よって、相違点１は実質的な相違ではない。仮にそうでないとしても、引用発明１において、相違点１に係る本願補正発明の構成とすることは、当業者が容易に想到し得たことである。
（４）相違点２の判断
　ア　周知技術について
　周知例１ないし３に記載された事項（上記（１）エないしカを参照。）を踏まえると、「回転軸の外周面に突設されたフランジの耕耘爪取付部に耕耘爪を取り付ける構成において、フランジの耕耘爪取付部に対応する位置には、互いに所定距離だけ離れた対をなすボルト挿通用孔が形成され、耕耘爪には、前記ボルト挿通用孔と対向するボルト挿通用孔が形成され、取付手段は、平板と、この平板の長手方向両端部に固定され互いに所定距離だけ離れた対をなす固定ボルトと、この各固定ボルトに螺合されるナットとを有し、前記固定ボルトが前記耕耘爪の前記ボルト挿通用孔および前記フランジの前記ボルト挿通用孔に挿通され、この挿通された固定ボルトに前記ナットが螺合され、このナットの螺合により前記耕耘爪が前記フランジの前記耕耘爪取付部に脱着可能に取り付けること」は、本件出願前に周知の技術（以下「周知技術」という。）であるといえる。
　また、周知例１の段落【０００３】【０００４】、周知例２の段落【０００４】、及び、周知例３の段落【００２１】の記載事項から、上記周知技術は、耕耘爪の取り付け作業を容易（簡単）にし、当該作業を軽減するものであるといえる。
　イ　引用発明１への周知技術の適用について
　耕耘作業機において、耕耘爪の取り付け構造をどのようなものとするかは、当業者が適宜に決定し得ることであり、また、引用発明１においても、耕耘爪の取り付け作業を容易（簡単）にしようとする課題は当然にあるといえるので、引用発明１の「左耕耘爪１１Ｌ」と「右耕耘爪１１Ｒ」とをフランジにそれぞれ取り付ける構造として、上記周知技術を適用して、相違点２に係る本願補正発明の構成とすることは、当業者が容易に想到し得たことである。
（５）相違点３の判断
　ア　引用例３について
　引用例３には、上記（１）ウ（イ）で述べたように引用発明３が記載されていると認められる。
　そして、引用発明３の「右用耕耘爪９」と「左用耕耘爪１５」は本願補正発明の「第１耕耘爪」と「第２耕耘爪」に相当し、同様に、「右用耕耘爪９が挿入係止される右用１のホルダーの端面５」と「左用耕耘爪１５が挿入係止される左用３のホルダーの端面１１」は「第１耕耘爪取付部」と「第２耕耘爪取付部」に、「右用であることを示す頭文字であるＲ」と「左用であることを示す頭文字であるＬ」は「第１耕耘爪を前記第１耕耘爪取付部に取り付けるようにするための第１耕耘爪用目印」と「第２耕耘爪を前記第２耕耘爪取付部に取り付けるようにするための第２耕耘爪用目印」にそれぞれ相当する。
　よって、引用発明３の「右用耕耘爪９が挿入係止される右用１のホルダーの端面５には、右用であることを示す頭文字であるＲが刻印されており、左用耕耘爪１５が挿入係止される左用３のホルダーの端面１１には、左用であることを示す頭文字であるＬが刻印されており、ホルダーが右用１であるか左用３であるかを端面５，１１にそれぞれ刻印された頭文字Ｒ，Ｌにより判断できるようにした」ことは、本願補正発明の「第１耕耘爪取付部に設けられ、前記第１耕耘爪を前記第１耕耘爪取付部に取り付けるようにするための第１耕耘爪用目印と、」「第２耕耘爪取付部に設けられ、前記第２耕耘爪を前記第２耕耘爪取付部に取り付けるようにするための第２耕耘爪用目印とを有する」ことに相当する。
　イ　引用発明１への引用発明３の適用について
　引用発明１においても、引用発明２（上記（１）イ（ア）ｄ、ｅを参照。）や引用発明３（上記（１）ウ（ア）ｃ、ｈを参照。）と同様に、「左耕耘爪１１Ｌ」と「右耕耘爪１１Ｒ」とをそれぞれの取付部（取付箇所）に正しく取り付けるとともに、その作業を容易（簡単）にしようとする課題は当然にあるといえるので、引用発明１の「左耕耘爪１１Ｌ」と「右耕耘爪１１Ｒ」のそれぞれのフランジの取付部に引用発明３を適用して、相違点３に係る本願補正発明の構成とすることは、当業者が容易に想到し得たことである。
　ウ　予備的見解
　周知例４（上記（１）キを参照。）に「
従来、耕耘装置に用いる耕耘爪には、右用及び左用の２種類が存在し、耕耘爪軸に設けたホルダに誤組しないように取り付ける必要がある
　そして、右耕耘爪と左耕耘爪のそれぞれの取付部に、右耕耘爪用であることを示す目印と左耕耘爪用であることを示す目印を設けることは、引用発明３の他に引用例４（特に段落【００１８】）にも記載されているから、本件出願前から周知であるといえる。
　そうすると、引用発明１において、相違点３に係る本願補正発明の構成とすることは、周知技術の付加に過ぎない。
（６）相違点４の判断
　ア　引用例２について
　引用例２には、上記（１）イ（イ）で述べたように引用発明２が記載されていると認められる。
　そして、引用発明２の「異種の耕耘爪」は、形状の異なる耕耘爪を少なくとも２つ有することが明らかであるから、本願補正発明の「第１耕耘爪」と「第２耕耘爪」に相当する。また、引用発明２の「色彩を異ならせる」とは、赤色やスカイブルーなどの色を異ならせることと解される。
　よって、引用発明２の「耕耘爪には、異種の耕耘爪ごとに色彩を異ならせるように、赤色やスカイブルーなどの塗料を塗布して、異種の耕耘爪であることが色彩の識別により一目で分かり、一つの耕耘軸に異種の耕耘爪を決められた箇所に取付けることを容易にした」ことは、本願補正発明の「前記第１耕耘爪の色と前記第２耕耘爪の色とが、互いに異なっている」ことに相当する。
　イ　引用発明１への引用発明２の適用について
　引用発明１においても、引用発明２（上記（１）イ（ア）ｄ、ｅを参照。）や引用発明３（上記（１）ウ（ア）ｃ、ｈを参照。）と同様に、「左耕耘爪１１Ｌ」と「右耕耘爪１１Ｒ」とをそれぞれの取付部（取付箇所）に正しく取り付けるとともに、その作業を容易（簡単）にしようとする課題は当然にあるといえるので、引用発明１の「左耕耘爪１１Ｌ」と「右耕耘爪１１Ｒ」に引用発明２を適用して、相違点４に係る本願補正発明の構成とすることは、当業者が容易に想到し得たことである。
　ウ　予備的見解
　周知例４（上記（１）キを参照。）に「
従来、耕耘装置に用いる耕耘爪には、右用及び左用の２種類が存在し、耕耘爪軸に設けたホルダに誤組しないように取り付ける必要がある
　そして、右耕耘爪と左耕耘爪とに異なる着色を施すことは、引用発明２の他に引用例４（特に段落【００１８】）にも記載されているから、本件出願前から周知であるといえる。
　そうすると、引用発明１において、相違点４に係る本願補正発明の構成とすることは、周知技術の付加に過ぎない。
（７）むすび
　したがって、本願補正発明は、引用発明１、引用発明２、引用発明３、及び、周知技術に基いて、当業者が容易に発明をすることができたものであるので、特許法第２９条第２項の規定により、特許出願の際独立して特許を受けることができない。
　よって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１　本願発明
　本件補正は、上記のとおり却下されたので、本願の請求項１ないし６に係る発明は、拒絶査定時の平成２６年１０月１６日付け手続補正書により補正された特許請求の範囲の請求項１ないし６に記載された事項により特定されるものであるところ、その請求項２に係る発明（以下「本願発明」という。）は上記第２の［理由］の１の「補正前」のとおりのものである。
２　引用例及び周知例に記載された事項
　原査定の拒絶の理由に引用された引用例１及び３、周知例１ないし３の記載事項は、前記第２の３（１）に記載したとおりである。
３　対比・判断
　本願発明は、前記第２の１の本願補正発明から、「第１耕耘爪用目印」及び「第２耕耘爪用目印」を設ける箇所を「フランジ」の「第１耕耘爪取付部」及び「第２耕耘爪取付部」に限定する構成、及び、「第１耕耘爪」と「第２耕耘爪」に係る限定事項である「前記第１耕耘爪の色と前記第２耕耘爪の色とが、互いに異なっている」との構成を省いたものである。 
　そうすると、本願発明の発明特定事項をすべて含み、さらに、他の発明特定事項を付加したものに相当する本願補正発明が、前記第２の３（２）ないし（７）に記載したとおり、引用発明１、引用発明３、及び、周知技術、並びに、本件補正で限定された事項に係る引用発明２に基いて、当業者が容易に発明をすることができたものであるから、本願発明も、本件補正で限定された事項に係る判断（引用発明２に基づく点）を除き同様の理由で、引用発明１、引用発明３、及び、周知技術に基いて、当業者が容易に発明をすることができたものである。
４　むすび
　以上のとおり、本願発明は、引用発明１、引用発明３、及び、周知技術に基いて、当業者が容易に発明をすることができたものであるから、特許法第２９条第２項の規定により、特許を受けることができない。
　したがって、その余の請求項に係る発明について検討するまでもなく、本願は拒絶すべきものである。
　よって、結論のとおり審決する。